(57)【要約】      （修正有）【課題】挽いたコーヒー豆に少量の湯水を全体に満遍なく注ぐことができ、誰にでも芳醇なコーヒーを抽出することができるコーヒー抽出用注湯器を提供する。【解決手段】注湯器受け台で支持された注湯器本体と、注湯器本体の底部に設けられる湯水を滴下する流出口と、流出口に設けられる湯量調節機構と、湯量調節機構に設けられる首振り自在の注湯管と、注湯管を遊嵌するリングを有し、このリングをらせん状に振らせる操作棒を備える。【選択図】図１
0003156806.tif 000002
【実用新案登録請求の範囲】
【請求項１】
コーヒーカップに載置したコーヒードリッパーに注湯するコーヒー抽出用注湯器において、注湯器受け台で支持された注湯器本体、この注湯器本体の底部に湯水を滴下する流出口を設け、この流出口に湯量調節機構を設け、この湯量調節機構部に首振り自在の注湯管を設け、この注湯管を遊嵌するリングを有しこのリングをらせん状に振らせる操作棒を備え、この操作棒を手で操作することによって湯水の滴下を万遍なく行うことを特徴とするコーヒー抽出用注湯器。
【請求項２】
湯量調節機構は、流出口の丸孔にめねじを設け、このめねじ丸孔に湯量調節用おねじをねじ込めるようにして、湯水調節ねじを緩める加減により、注湯器に注がれた湯水の湯量調節が行えることを特徴とする請求項１記載のコーヒー抽出用注湯器。
【請求項３】
流出口の端部に形成された球状部を覆うように、注湯管の半球状付根を取り付けてジョイント機構を構成し、操作棒でリングをらせん状に操作しこれに遊嵌した注湯管を振らせることにより、挽いたコーヒー豆の自在の個所に湯水を注げるように構成されたことを特徴とする請求項１記載のコーヒー抽出用注湯器。
【考案の詳細な説明】
【技術分野】
【０００１】  本考案はコーヒーを抽出するにおいて、挽いたコーヒー豆に適量のお湯を注ぎ、且つお湯を適切な個所に注げるようにして、容易に安定的な良質な味を提供できるようにするものである。
【背景技術】
【０００２】  従来、ドリップ式のコーヒーを抽出するためには、フィルターペーパー等に挽いたコーヒー豆を入れ、湯水を注ぐ方法がある。芳醇なコーヒーを抽出するためには、挽いたコーヒー豆に湯水を注ぐ際に少量の湯水を注ぐこと及び、湯水を全体に満遍なく注ぐことによりコーヒー豆を十分に蒸らすことが重要とされる。しかし、これらの作業は経験・技術を要するものであり、容易に安定的な良質な味を提供することは難しいものであった。
【先行技術文献】
【特許文献】
【０００３】
【特許文献１】  特開２００６−３０５２７４（Ｐ２００６−３０５２７４Ａ）
【考案の概要】
【考案が解決しようとする課題】
【０００４】  芳醇なコーヒーを抽出するためには、挽いたコーヒー豆に細い蛇口の水注器を用い少量の湯水を注ぐこと及び、湯水を全体に満遍なく注ぐことによりコーヒー豆を十分に蒸らすことが重要とされるが、これは容易に安定的な良質な味を提供することは難しいものであった。そこで、誰でも容易に安定的な良質な味を提供できるように、コーヒー抽出用注湯器の開発を目的とした。
【課題を解決するための手段】
【０００５】  この考案にかかるコーヒー抽出用注湯器は、コーヒーカップに載置したコーヒードリッパーに注湯するコーヒー抽出用注湯器において、注湯器受け台で支持された注湯器本体、この注湯器本体の底部に湯水を滴下する流出口を設け、この流出口に湯量調節機構を設け、この湯量調節機構部にユニバーサルジョイントを有し首振り自在の注湯管を設け、この注湯管を挿通するリングを有しこのリングの取っ手を操作することによって湯水の滴下を満遍なく行う操作棒を備えたものである。
【考案の効果】
【０００６】  芳醇なコーヒーを抽出するためには、細い蛇口の水注器を用いても少量の湯水を安定的に注ぐことは経験・技術を要するものであり誰にでも容易にできるものではないが、コーヒー抽出用注湯器に所要の湯水を注ぎ、湯量を調節した少量の湯水を、リングで注湯管を回転させながら、挽いたコーヒー豆に満遍なく全体に注ぐことにより、十分に蒸らすことができて、芳醇なコーヒーの抽出が実現する。
【図面の簡単な説明】
【０００７】
【図１】  本考案の側面図である。
【図２】  本考案の拡大図である。
【図３】  本考案の斜視図である。
【考案を実施するための形態】
【０００８】  以下、本考案の実施の形態について、図面を参照しつつ説明すれば、図１の注湯器本体１は、コーヒードリッパー１３に湯水を注ぐための湯水入れであり、底面の中央部に流出口１１を１つ設ける。流出口１１の形状については、丸孔として直径は２ｍｍ程度の大きさとする。流出口１１の丸孔の内側にめねじ１０を設け、丸孔を通る湯水の調節を行うため湯量調節用ねじ８を備え、この先端部におねじ９のねじ山を切り、めねじ１０にねじ込めるようにする湯量調節機構を備える。この湯量調節機構は、ねじを用いてねじの締め加減により湯量の調節を行うこととしているが、他の方法により湯量の調節を行うこととしてもよい。
【０００９】  流出口１１のめねじ１０の下端部に、流出口１１の穴とつながるようにした球状部２を設け、この球状部２に、次のように湯水が滴下する滴下口のある注湯管４を取り付ける。すなわち、この球状部２を注湯管の半球状付根３で覆うようにして取付ける。注湯管４は球状部２を支点としてユニバーサルジョイント機構のように首振り自在に振らせ・回転できるように取り付ける。注湯管４が回転した場合、角度により球状部２の穴の出口が注湯管の半球状付根３でふさがれることを防ぐため、球状部の底部１２にラッパ状の切込みを入れ空間を形成している。
【００１０】  注湯管４を遊嵌しこれをらせん状に振らせ・回転させるためのリング５と、リング５を支え振らせる操作棒６、さらにこれらを受けるリング受け台７を備えている。そしてコーヒー抽出用注湯器は、注湯器本体１、球状部２、注湯管４及び湯量調節用ねじ等により構成されこのコーヒー抽出用注湯器は、注湯器受け台１５で支持されている。
【００１１】  次に、本考案の実施形態の作用及び効果について説明する。
注湯器本体１に適量の湯水を注ぐと、底面中央部の流出口１１の、めねじ１０にねじ込んだ湯量調節ねじ８の緩め加減を行うことにより湯量調節された適量の湯水は、球状部２の穴を通り、注湯管４に流れる。この時、リング受け台７を手で支えて回転させるとリング５で掛けられた注湯管４も同時に回転して、湯水の滴下する軌道も同じように回転して、コーヒードリッパー１３のコーヒー粉を蒸らせるためにまんべんなく注ぐことができる。
【００１２】  コーヒー粉にまんべんなく湯水が滴下されたら、湯量調節用ねじ８を締め湯水を止めてから、３０秒から４０秒程度コーヒー粉を蒸らす。時間経過後に湯量調節用ねじ８を今度は大きく緩め湯量を増やして再度湯水を注ぎ、注湯管４を振り・回転させながらコーヒードリッパー１３に湯水を注ぐと、コーヒーカップ１４に芳醇なコーヒーが出来上がる。
【００１３】  注湯管４は、管を振らせ・回転させるために、球状部２を備えて注湯管の半球状付根３を球状にした構造としたが、管そのものの材質が弾性のあるものを使用しても、リングで管を回転させることができるため、この場合は、材質が弾性の管を流出口の出口に接合してもよい。
【符号の説明】
【００１４】  １  注湯器本体
２  球状部
３  注湯管の半球状付根
４  注湯管
５  リング
６  操作棒
７  リング受け台
８  湯量調節用ねじ
９  おねじ
１０  めねじ
１１  流出口
１２  球状部の底部
１３  コーヒードリッパー
１４  コーヒーカップ
１５  注湯器受け台
【図１】
0003156806.tif 000003
【図２】
0003156806.tif 000004
【図３】
0003156806.tif 000005